【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
遊技機に対応して設けられ、
遊技者が所有する有価価値を特定可能な有価価値特定情報が記録された記録媒体を受け付ける記録媒体受付手段と、
該記録媒体受付手段にて記録媒体を受け付けたことに基づいて、該受け付けた記録媒体の有価価値特定情報から特定される有価価値を前記対応する遊技機での遊技に使用させるための使用処理を行う使用処理手段と、
前記記録媒体の排出要求に基づいて、該記録媒体を排出する排出処理を行う排出処理手段と、
を有する遊技用装置であって、
前記記録媒体受付手段にて記録媒体を受け付けたことを条件としてカウントを開始すると共に、該記録媒体の受付中においてカウントを実行するカウント手段と、
該カウント手段によるカウンタ値が予め定められた満了値に達したときにカウント満了と判定するカウント満了判定手段と、
前記使用処理に伴って発生する情報、及び／又は、遊技に関連して発生する情報である、所定の遊技関連情報を検知する遊技関連情報検知手段と、
前記カウント満了判定手段にてカウント満了と判定するまでの間に該遊技関連情報検知手段により所定の遊技関連情報が検知されたか否かを判定すると共に、検知されたと判定したことを条件として、前記カウント手段によるカウンタ値をクリアする遊技関連情報検知判定手段と、をさらに有し、
前記カウント手段は、該遊技関連情報検知判定手段にてカウンタ値がクリアされることでカウントを再度開始し、
前記排出処理手段は、前記遊技関連情報検知手段により所定の遊技関連情報が検知されないと判定したことを条件として、前記排出処理を実行不能とすることを特徴とする遊技用装置。
【請求項２】
遊技機に対応して設けられ、
遊技者が所有する有価価値を受け付ける有価価値受付手段と、
該有価価値受付手段にて有価価値を受け付けたことに基づいて、該受け付けた有価価値を前記対応する遊技機での遊技に使用させるための使用処理を行う使用処理手段と、
残存する前記有価価値を特定可能な有価価値特定情報が記録された記録媒体の排出要求に基づいて、該有価価値特定情報から特定される有価価値を精算又は交換させるために当該記録媒体を排出する排出処理を行う排出処理手段と、
を有する遊技用装置であって、
前記有価価値受付手段にて有価価値を受け付けたことを条件としてカウントを開始するカウント手段と、
該カウント手段によるカウンタ値が予め定められた満了値に達したときにカウント満了と判定するカウント満了判定手段と、
前記使用処理に伴って発生する情報、及び／又は、遊技に関連して発生する情報である、所定の遊技関連情報を検知する遊技関連情報検知手段と、
前記カウント満了判定手段にてカウント満了と判定するまでの間に該遊技関連情報検知手段により所定の遊技関連情報が検知されたか否かを判定すると共に、検知されたと判定したことを条件として、前記カウント手段によるカウンタ値をクリアする遊技関連情報検知判定手段と、をさらに有し、
前記カウント手段は、該遊技関連情報検知判定手段にてカウンタ値がクリアされることでカウントを再度開始し、
前記排出処理手段は、前記遊技関連情報検知手段により所定の遊技関連情報が検知されないと判定したことを条件として、前記排出処理を実行不能とすることを特徴とする遊技用装置。
【手続補正２】
【補正対象書類名】明細書
【補正対象項目名】０００７
【補正方法】変更
【補正の内容】
【０００７】
まず手段１に係る発明は、
遊技機（パチンコ機２）に対応して設けられ、
遊技者が所有する有価価値（プリペイド残額，持玉数，貯玉数）を特定可能な有価価値特定情報（プリペイド残額データ，持玉数データ，カードＩＤ）が記録された記録媒体（ビジターカード，会員カード）を受け付ける記録媒体受付手段（カードリーダライタ３２７）と、
該記録媒体受付手段にて記録媒体を受け付けたことに基づいて、該受け付けた記録媒体の有価価値特定情報から特定される有価価値を前記対応する遊技機での遊技に使用させるための使用処理を行う使用処理手段（Ｓｂ２１の貸与処理，Ｓｂ２５の払出処理，Ｓｂ２４の再プレイ処理を行う制御ユニット３２８）と、
前記記録媒体の排出要求（返却ボタン３１０の操作）に基づいて、該記録媒体を排出する排出処理を行う排出処理手段（Ｓｂ２３ｂの返却処理を行う制御ユニット３２８）と、
を有する遊技用装置（カードユニット３）であって、
前記記録媒体受付手段にて記録媒体を受け付けたこと（Ｓ６０１でカード受付有りと判定されたこと）を条件としてカウントを開始すると共に、該記録媒体の受付中においてカウントを実行するカウント手段（Ｓ６１１の処理を行う制御ユニット３２８）と、
該カウント手段によるカウンタ値が予め定められた満了値に達したときにカウント満了（タイムアップ）と判定するカウント満了判定手段（Ｓ６１２の処理を行う制御ユニット３２８）と、
前記使用処理に伴って発生する情報、及び／又は、遊技に関連して発生する情報である、所定の遊技関連情報を検知する遊技関連情報検知手段（貸与処理の実行，払出処理の実行，再プレイ処理の実行，計数処理の実行，発行・入金処理の実行，打込玉信号の受信を検知する制御ユニット３２８）と、
前記カウント満了判定手段にてカウント満了（Ｓ６１２でＹＥＳ）と判定するまでの間に該遊技関連情報検知手段により所定の遊技関連情報が検知されたか否かを判定すると共に、検知されたと判定したことを条件として、前記カウント手段によるカウンタ値をクリアする遊技関連情報検知判定手段（Ｓ６１３及びＳ６１４の処理を行う制御ユニット３２８）と、をさらに有し、
前記カウント手段は、該遊技関連情報検知判定手段にてカウンタ値がクリアされることでカウント（Ｓ６１１）を再度開始し、
前記排出処理手段は、前記遊技関連情報検知手段により所定の遊技関連情報が検知されないと判定したことを条件として、前記排出処理を実行不能とする（Ｓ６２１で返却処理の禁止フラグを記憶することにより、返却ボタンが操作されても排出要求が出力されないようにするか、又は返却ボタンの操作自体を無効とする処理を行う制御ユニット３２８）ことを特徴とする遊技用装置である。
【手続補正３】
【補正対象書類名】明細書
【補正対象項目名】０００８
【補正方法】変更
【補正の内容】
【０００８】
また手段２に係る発明は、
手段１に記載した遊技用装置（カードユニット３）であって、
遊技者が所有する有価価値（現金の挿入，獲得玉の計数）を受け付ける有価価値受付手段（紙幣識別ユニット３２１，計数払出ユニット３４８，３４８’）をさらに有し、
前記使用処理手段（制御ユニット３２８）は、該有価価値受付手段にて有価価値を受け付けたことに基づいて、該受け付けた有価価値を前記対応する遊技機での遊技に使用させるための前記使用処理（Ｓｂ２２の発行・入金処理，Ｓｂ２５の払出処理）を行い、
前記排出処理手段（制御ユニット３２８）は、残存する前記有価価値（プリペイド残額，持玉数）を特定可能な有価価値特定情報（プリペイド残額データ，持玉数データ）が記録された記録媒体（ビジターカード）の排出要求（返却ボタン３１０の操作）に基づいて、前記記録媒体の有価価値特定情報から特定される有価価値を精算（精算装置１８０におけるプリペイド残額の精算）又は交換（景品交換ＰＯＳ端末１７０における持玉数の景品交換）させるために当該記録媒体を排出する排出処理（Ｓｂ２３ｂの返却処理）を行い、
前記カウント手段（制御ユニット３２８）は、前記有価価値受付手段にて有価価値を受け付けたこと（Ｓ６０１で現金受付又は計数有りと判定されたこと）を条件としてカウント（Ｓ６１１）を開始することを特徴とする遊技用装置である。
【手続補正４】
【補正対象書類名】明細書
【補正対象項目名】０００９
【補正方法】変更
【補正の内容】
【０００９】
また手段３に係る発明は、
遊技機（パチンコ機２）に対応して設けられ、
遊技者が所有する有価価値（現金の挿入，獲得玉の計数）を受け付ける有価価値受付手段（紙幣識別ユニット３２１，計数払出ユニット３４８，３４８’）と、
該有価価値受付手段にて有価価値を受け付けたことに基づいて、該受け付けた有価価値を前記対応する遊技機での遊技に使用させるための使用処理を行う使用処理手段（Ｓｂ２２の発行・入金処理，Ｓｂ２５の払出処理を行う制御ユニット３２８）と、
残存する前記有価価値（プリペイド残額，持玉数）を特定可能な有価価値特定情報（プリペイド残額データ，持玉数データ）が記録された記録媒体（ビジターカード）の排出要求（返却ボタン３１０の操作）に基づいて、該有価価値特定情報から特定される有価価値を精算（精算装置１８０におけるプリペイド残額の精算）又は交換（景品交換ＰＯＳ端末１７０における持玉数の景品交換）させるために当該記録媒体を排出する排出処理を行う排出処理手段（Ｓｂ２３ｂの返却処理を行う制御ユニット３２８）と、
を有する遊技用装置（カードユニット３）であって、
前記有価価値受付手段にて有価価値を受け付けたことを条件としてカウントを開始するカウント手段（Ｓ６１１の処理を行う制御ユニット３２８）と、
該カウント手段によるカウンタ値が予め定められた満了値に達したときにカウント満了（タイムアップ）と判定するカウント満了判定手段（Ｓ６１２の処理を行う制御ユニット３２８）と、
前記使用処理に伴って発生する情報、及び／又は、遊技に関連して発生する情報である、所定の遊技関連情報を検知する遊技関連情報検知手段（貸与処理の実行，払出処理の実行，再プレイ処理の実行，計数処理の実行，発行・入金処理の実行，打込玉信号の受信を検知する制御ユニット３２８）と、
前記カウント満了判定手段にてカウント満了（Ｓ６１２でＹＥＳ）と判定するまでの間に該遊技関連情報検知手段により所定の遊技関連情報が検知されたか否かを判定すると共に、検知されたと判定したことを条件として、前記カウント手段によるカウンタ値をクリアする遊技関連情報検知判定手段（Ｓ６１３及びＳ６１４の処理を行う制御ユニット３２８）と、をさらに有し、
前記カウント手段は、該遊技関連情報検知判定手段にてカウンタ値がクリアされることでカウント（Ｓ６１１）を再度開始し、
前記排出処理手段は、前記遊技関連情報検知手段により所定の遊技関連情報が検知されないと判定したことを条件として、前記排出処理を実行不能とする（Ｓ６２１で返却処理の禁止フラグを記憶することにより、返却ボタンが操作されても排出要求が出力されないようにするか、又は返却ボタンの操作自体を無効とする処理を行う制御ユニット３２８）ことを特徴とする遊技用装置である。
【手続補正５】
【補正対象書類名】明細書
【補正対象項目名】００１０
【補正方法】変更
【補正の内容】
【００１０】
また手段４に係る発明は、
手段１〜３のいずれか１つに記載した遊技用装置（カードユニット３）であって、
前記排出処理手段（制御ユニット３２８）は、前記排出処理を実行不能（Ｓ６２１で返却処理の禁止フラグを記憶）としている場合、解除要求を受け付けたことに基づいて前記排出処理を実行可能とする（Ｓ６３３で復帰信号を受信したことに基づいてＳ６３１で返却処理の禁止フラグを消去して返却ボタン３１０の操作を有効にするか、又はＳ６３４でエラー解除信号を受信したことに基づいてＳ６３４でカードを返却する）ことを特徴とする遊技用装置である。
【手続補正６】
【補正対象書類名】明細書
【補正対象項目名】００１１
【補正方法】変更
【補正の内容】
【００１１】
また手段５に係る発明は、
手段４に記載した遊技用装置（カードユニット３）であって、
前記記録媒体（会員カード）は、会員登録を行った会員遊技者に対して発行され、
該記録媒体を所有する会員遊技者を認証するための会員遊技者認証情報（暗証番号）の入力を受け付ける会員遊技者認証情報入力受付手段（表示部３１２）をさらに有し、
前記排出処理手段（制御ユニット３２８）は、前記排出処理を実行不能（Ｓ６２１で返却処理の禁止フラグを記憶）としている場合、前記解除要求として前記会員遊技者認証情報の入力を受け付けたこと（Ｓ６２７でＹＥＳ）に基づいて前記排出処理を実行可能とする（Ｓ６２８で暗証番号の照合を行い照合ＯＫならばＳ６３１で返却処理の禁止フラグを消去して返却ボタン３１０の操作を有効にする）ことを特徴とする遊技用装置である。
【手続補正７】
【補正対象書類名】明細書
【補正対象項目名】００１２
【補正方法】変更
【補正の内容】
【００１２】
また手段６に係る発明は、
手段１〜５のいずれか１つに記載した遊技用装置（カードユニット３）であって、
前記遊技関連情報検知判定手段（制御ユニット３２８）は、前記カウント満了判定手段（制御ユニット３２８）にてカウント満了（タイムアップ）と判定した後に前記遊技関連情報検知手段により所定の遊技関連情報が検知されたか否かを判定し（Ｓ６２３）、検知されたと判定したことを条件として、その旨を遊技場の店員に報知するための処理（Ｓ６２４）を行うことを特徴とする遊技用装置である。
【手続補正８】
【補正対象書類名】明細書
【補正対象項目名】００１３
【補正方法】変更
【補正の内容】
【００１３】
また手段７に係る発明は、
手段１〜６のいずれか１つに記載した遊技用装置（カードユニット３）であって、
遊技者が所有する貨幣を受け付けたことに基づいて、該受け付けた貨幣額に相当する有価価値を前記記録媒体（ビジターカード，会員カード）の有価価値特定情報（プリペイド残額データ）から特定される有価価値（プリペイド残額）に加算するための価値加算処理を行う価値加算処理手段（Ｓｂ２２の発行・入金処理を行う制御ユニット３２８）をさらに有し、
該価値加算処理手段は、前記遊技関連情報検知手段（制御ユニット３２８）により所定の遊技関連情報が検知されない（Ｓ６１２でＮＯ）と判定したことを条件として、前記価値加算処理を行わない（Ｓ６２１で発行・入金処理の禁止フラグを記憶する）ことを特徴とする遊技用装置である。
【手続補正９】
【補正対象書類名】明細書
【補正対象項目名】００１４
【補正方法】変更
【補正の内容】
【００１４】
また手段８に係る発明は、
手段１〜７のいずれか１つに記載した遊技用装置（カードユニット３）であって、
前記対応する遊技機（パチンコ機２）での遊技により遊技者が獲得した遊技媒体（パチンコ玉）を計数して取り込む計数手段（計数払出ユニット３４８，３４８’）と、
該計数手段にて計数した計数遊技媒体数の範囲内の遊技媒体を払い出して遊技者に返却するための処理を行う払出処理手段（Ｓｂ２５の払出処理を行う制御ユニット３２８）と、をさらに有し、
前記計数手段は、前記遊技関連情報検知手段（制御ユニット３２８）により所定の遊技関連情報が検知されない（Ｓ６１２でＮＯ）と判定したことを条件として、前記計数を行わない（Ｓ６２１で計数処理の禁止フラグを記憶する）ことを特徴とする遊技用装置である。
【手続補正１０】
【補正対象書類名】明細書
【補正対象項目名】００１５
【補正方法】変更
【補正の内容】
【００１５】
また手段９に係る発明は、
手段１〜８のいずれか１つに記載した遊技用装置（カードユニット３）であって、
前記遊技関連情報検知手段（制御ユニット３２８）により所定の遊技関連情報が検知されない（Ｓ６１２でＮＯ）と判定した後に、遊技者より所定の操作を受け付けたこと（Ｓ６２２でＹＥＳ）を条件として、前記使用処理を禁止する使用禁止処理を行う使用禁止処理手段（Ｓ６３２のエラーダウン処理を行う制御ユニット３２８）と、
前記使用禁止処理中に、遊技場の店員より復帰操作を受け付けたこと（Ｓ６３３でＹＥＳ）を条件として、前記使用禁止処理を解除して前記使用処理を可能とする使用復帰処理を行う使用復帰処理手段（Ｓ６３１の処理を行う制御ユニット３２８）と、をさらに有することを特徴とする遊技用装置である。
【手続補正１１】
【補正対象書類名】明細書
【補正対象項目名】００１６
【補正方法】変更
【補正の内容】
【００１６】
また手段１０に係る発明は、
手段１〜９のいずれか１つに記載した遊技用装置（カードユニット３）であって、
前記遊技関連情報検知手段（制御ユニット３２８）により所定の遊技関連情報が検知されない（Ｓ６１２でＮＯ）と判定した後に、遊技者より所定の操作を受け付けたこと（Ｓ６２２でＹＥＳ）を条件として、その旨を遊技場の店員に報知するための処理を行う操作受付報知処理手段（Ｓ６２５の処理を行う制御ユニット３２８）をさらに有することを特徴とする遊技用装置である。
【手続補正１２】
【補正対象書類名】明細書
【補正対象項目名】００１７
【補正方法】変更
【補正の内容】
【００１７】
また手段１１に係る発明は、
手段１〜１０のいずれか１つに記載した遊技用装置（カードユニット３）であって、
前記対応する遊技機（パチンコ機２）での遊技により遊技者が獲得した遊技媒体（パチンコ玉）を計数して取り込む計数手段（計数払出ユニット３４８，３４８’）と、
前記カウント手段（制御ユニット３２８）によるカウントを開始させる基準となるカウント開始基準値を設定するカウント開始基準値設定手段（管理コンピュータ１５０で設定されたカウント開始基準値を受信して記憶する制御ユニット３２８）と、
前記計数手段にて計数した計数遊技媒体数が該カウント開始基準値設定手段にて設定されたカウント開始基準値を満たしているか否かを判定するカウント開始基準値判定手段（Ｓ６０５の処理を行う制御ユニット３２８）と、をさらに有し、
前記カウント手段は、該カウント開始基準値判定手段にてカウント開始基準値を満たしていると判定されたこと（Ｓ６０５でＹＥＳ）をさらなる条件としてカウント（Ｓ６１１）を開始することを特徴とする遊技用装置である。
【手続補正１３】
【補正対象書類名】明細書
【補正対象項目名】００１８
【補正方法】変更
【補正の内容】
【００１８】
さらに手段１２に係る発明は、
手段１〜１１のいずれか１つに記載した遊技用装置（カードユニット３）であって、
前記記録媒体（ビジターカード，会員カード）には、使用可能な遊技機が異なる複数種類の有価価値（貸与単価４円の遊技機で使用可能な持玉数や貯玉数，貸与単価１円の遊技機で使用可能な持玉数や貯玉数）の各々を特定可能な有価価値特定情報（カードＩＤ）が記録され、
該記録媒体の有価価値特定情報から特定される複数種類の有価価値のうち、前記対応する遊技機での遊技に使用可能な有価価値が有るか否かを判定すると共に、前記対応する遊技機での遊技に使用不能な有価価値が有るか否かを判定する有価価値種別判定手段（Ｓ６０３及びＳ６０２の処理を行う制御ユニット３２８）と、をさらに有し、
前記カウント手段（制御ユニット３２８）は、該有価価値種別判定手段にて前記使用可能な有価価値又は前記使用不能な有価価値の少なくとも一方が有ると判定されたこと（Ｓ６０３でＹＥＳ，又はＳ６０２でＹＥＳ）をさらなる条件としてカウント（Ｓ６１１）を開始することを特徴とする遊技用装置である。
【手続補正１４】
【補正対象書類名】明細書
【補正対象項目名】００１９
【補正方法】変更
【補正の内容】
【００１９】
まず手段１に係る遊技用装置によれば、遊技者が所有する有価価値を特定可能な有価価値特定情報が記録された記録媒体を受け付けたことを条件として、カウント手段によるカウントを開始し、該カウント満了までの間に所定の遊技関連情報が検知されないことを条件として、記録媒体の排出処理を実行不能とするので、前記遊技者以外の他者により記録媒体が抜き取られるのを防止できる。
【手続補正１５】
【補正対象書類名】明細書
【補正対象項目名】００２０
【補正方法】変更
【補正の内容】
【００２０】
また手段２に係る遊技用装置によれば、遊技者が所有する有価価値を受け付けたことを条件として、カウント手段によるカウントを開始し、該カウント満了までの間に所定の遊技関連情報が検知されないことを条件として、残存する有価価値を特定可能な有価価値特定情報が記録された記録媒体の排出処理を実行不能とするので、前記遊技者以外の他者により記録媒体が抜き取られるのを防止できる。
【手続補正１６】
【補正対象書類名】明細書
【補正対象項目名】００２１
【補正方法】変更
【補正の内容】
【００２１】
また手段３に係る遊技用装置によれば、遊技者が所有する有価価値を受け付けたことを条件として、カウント手段によるカウントを開始し、該カウント満了までの間に所定の遊技関連情報が検知されないことを条件として、残存する有価価値を特定可能な有価価値特定情報が記録された記録媒体の排出処理を実行不能とするので、前記遊技者以外の他者により記録媒体が抜き取られるのを防止できる。
【手続補正１７】
【補正対象書類名】明細書
【補正対象項目名】００２２
【補正方法】変更
【補正の内容】
【００２２】
また手段４に係る遊技用装置によれば、解除要求が無ければ排出処理が実行可能とされないので、該解除要求を行う遊技場の店員が、遊技を行っているのが真の遊技者なのか他者なのかを確認できる。
【手続補正１８】
【補正対象書類名】明細書
【補正対象項目名】００２３
【補正方法】変更
【補正の内容】
【００２３】
また手段５に係る遊技用装置によれば、会員遊技者認証情報の入力が有れば排出処理が実行可能とされるので、会員遊技者であれば遊技場の店員の手を介さずに排出処理を実行可能にできる。
【手続補正１９】
【補正対象書類名】明細書
【補正対象項目名】００２４
【補正方法】変更
【補正の内容】
【００２４】
また手段６に係る遊技用装置によれば、カウント満了後に所定の遊技関連情報が検知されたことを条件として、その旨を遊技場の店員に報知するための処理を行うので、該店員が、遊技を行っているのが真の遊技者なのか他者なのかを確認できる。
【手続補正２０】
【補正対象書類名】明細書
【補正対象項目名】００２５
【補正方法】変更
【補正の内容】
【００２５】
また手段７に係る遊技用装置によれば、カウント満了までの間に所定の遊技関連情報が検知されないことを条件として、価値加算処理を行わないので、遊技者が離席中であることを知らない他者が価値加算をしてしまうのを防止できる。
【手続補正２１】
【補正対象書類名】明細書
【補正対象項目名】００２６
【補正方法】変更
【補正の内容】
【００２６】
また手段８に係る遊技用装置によれば、カウント満了までの間に所定の遊技関連情報が検知されないことを条件として、計数を行わないので、遊技者が離席中であることを知らない他者が計数をしてしまうのを防止できる。
【手続補正２２】
【補正対象書類名】明細書
【補正対象項目名】００２７
【補正方法】変更
【補正の内容】
【００２７】
また手段９に係る遊技用装置によれば、カウント満了後に所定の操作の受付が有ることを条件として、使用禁止処理を行い、使用禁止処理中に遊技場の店員による復帰操作を受け付けたことを条件として、使用禁止処理の解除を行うので、所定操作を行ったのが真の遊技者なのか他者なのかを該店員が確認した上で、使用禁止を解除できる。
【手続補正２３】
【補正対象書類名】明細書
【補正対象項目名】００２８
【補正方法】変更
【補正の内容】
【００２８】
また手段１０に係る遊技用装置によれば、カウント満了後に所定の操作の受付が有ることを条件として、その旨を遊技場の店員に報知するための処理を行うので、所定操作を行ったのが真の遊技者なのか他者なのかを該店員が確認した上で、真の遊技者ならばそのまま遊技を再開させることができ、また他者であっても所定の離席期間を過ぎているようならば該他者に遊技をさせることができる。
【手続補正２４】
【補正対象書類名】明細書
【補正対象項目名】００２９
【補正方法】変更
【補正の内容】
【００２９】
また手段１１に係る遊技用装置によれば、計数遊技媒体数がカウント開始基準値を満たしていることをさらなる条件としてカウントを開始するので、カウント開始基準値に満たない計数遊技媒体数が存在することにより遊技場の営業に支障をきたすのを防止できる。
【手続補正２５】
【補正対象書類名】明細書
【補正対象項目名】００３０
【補正方法】変更
【補正の内容】
【００３０】
さらに手段１２に係る遊技用装置によれば、対応する遊技機で使用可能な有価価値又は使用不能な有価価値の少なくとも一方が有ることをさらなる条件としてカウントを開始するので、使用可能な有価価値が使用されて零になる一方で使用不能な有価価値が有る記録媒体が他者により抜き取られるのを防止できる。